(57)【特許請求の範囲】
【請求項１】
木質系バイオマスを主成分として含有する排水に、エンドセルラーゼを主成分とするセルラーゼ混合品を添加する酵素処理工程を行った後、メタン発酵させるメタン発酵工程を行ってバイオガスを生成するバイオガス生産方法であって、
前記木質系バイオマスが茶葉廃棄物であり、
前記セルラーゼ混合品がトリコデルマ由来のエンドセルラーゼを主成分とするものであり、
前記酵素処理工程を、供給されるバイオマスに対して前記セルラーゼ混合品を０．２〜５質量％添加して行うとともに、
前記メタン発酵工程をＵＡＳＢ法により行い、
さらに、前記木質系バイオマスを前記メタン発酵工程の排水で希釈して前記酵素処理工程を行うバイオガス生産方法。
【発明の詳細な説明】
【技術分野】
【０００１】
本発明は、バイオガス生産方法に関し、具体的には木質系バイオマスからバイオガスを生産する方法に関する。
【背景技術】
【０００２】
化石燃料の消費や大量の廃棄物焼却による二酸化炭素ガスの排出等により、地球温暖化が問題になっている。この問題を解決するために、種々廃棄物を再資源化する技術の開発がすすめられている。中でも、上記廃棄物として木質系バイオマスを対象として再資源化を行う技術が研究されている。
【０００３】
ところが、通常のバイオマスとは異なり、木質系バイオマスは微生物分解困難なリグニン、ヘミセルロース等の高次構造を形成する成分を大量に含んでいる。そのため、このバイオマスを生分解させるための前処理として、上記バイオマスを酵素で分解し、その後エタノール発酵する方法も報告されている（たとえば、特許文献１参照）。しかし、このような酵素分解を行う場合、後続のエタノール発酵を良好に行うためには、エキソセルラーゼによりセルロースを単糖類まで分解する必要があり、セルロースの糖鎖の各端部より順次糖単位で切断するために、反応時間を要するとともに、相当量の酵素を必要とする。そのため、このような方法は、経済的にあまり実用的なものとはいえず、また、得られるバイオエタノールは、利用形態が限られるため需要が少なく、大規模に利用するまでに至っていないのが実情である。
【先行技術文献】
【特許文献】
【０００４】
【特許文献１】特開２０１０−１１５１１６号公報
【発明の開示】
【発明が解決しようとする課題】
【０００５】
一方、メタンガスは、都市ガス等の主成分であるため、需要が高く、バイオマスを再資源化する際に望ましい形態である。しかし、リグニン、ヘミセルロース等の高次構造を含む木質系バイオマスをそのまま通常のメタン発酵処理に供しても、バイオガス化効率は低い。
【０００６】
そこで、本発明の目的は、木質系バイオマスから効率よくバイオガスを生産する技術を提供する点にある。
【課題を解決するための手段】
【０００７】
〔構成１〕
上記目的を達成するための本発明の特徴構成は、
木質系バイオマスを主成分として含有する排水に、エンドセルラーゼを主成分とするセルラーゼ混合品を添加する酵素処理工程を行った後、メタン発酵させるメタン発酵工程を行ってバイオガスを生成するバイオガス生産方法であって、
前記木質系バイオマスが茶葉廃棄物であり、
前記セルラーゼ混合品がトリコデルマ由来のエンドセルラーゼを主成分とするものであり、
前記酵素処理工程を、供給されるバイオマスに対して前記セルラーゼ混合品を０．２〜５質量％添加して行うとともに、
前記メタン発酵工程をＵＡＳＢ法により行い、
さらに、前記木質系バイオマスを前記メタン発酵工程の排水で希釈して前記酵素処理工程を行う点にある。
【０００８】
〔作用効果１〕
木質系バイオマスを主成分として含有する排水に、エンドセルラーゼを主成分とするセルラーゼ混合品を添加する酵素処理工程を行うと、まず、前記木質系バイオマスに含まれるリグニン、ヘミセルロース等の高次構造が直鎖のセルロースに分解される。このセルロースはメタン発酵工程においてメタン発酵され、メタンガスに変換される。
【０００９】
このとき、エンドセルラーゼが前記バイオマスを単糖類まで分解しなくても、前記メタン発酵を行うメタン発酵細菌はセルロースを資化して、メタンを生産することができる。そのため、前記酵素処理工程は、バイオマスをエキソセルラーゼにより単糖類にまで分解するのに比べて、少量の酵素によって短時間でメタン発酵細菌が資化可能な状態にまで分解することができる。従って、木質系バイオマスを効率よくメタン発酵させることができるようになり、木質系バイオマスから効率よくバイオガスを生産することができるようになった。
【００１０】
上記構成において、前記メタン発酵工程をＵＡＳＢ法により行う。
【００１１】
通常、ＵＡＳＢ法によるメタン発酵は、高負荷な処理液を短時間で効率よくメタン発酵して、バイオガスを生成することができるために、有用であるとされている。しかし、ＵＡＳＢ法によるメタン発酵を行うには、処理液中の固形成分を十分に可溶化し、メタン発酵処理期間中に固形成分が沈殿することなく流動することが要求される。この点、上記酵素処理工程を行えば、エンドセルラーゼがバイオマスに含まれるセルロースの糖鎖をランダムに切断するために、比較的短時間でバイオマスは可溶化する程度に低分子化され、沈殿することなく流動するようになる。そのため、従来木質系バイオマスのメタン発酵には適用することが困難であったＵＡＳＢ法を適用することができ、さらに効率よくバイオガスを生産ができるようになった。
【００１２】
また、上記構成において、前記木質系バイオマスが茶葉廃棄物とする。
【００１３】
上記木質系バイオマスとして、微生物分解困難なものとしては、茶葉廃棄物が知られている。茶葉廃棄物は、葉脈、茎等、硬質でリグニン、ヘミセルロース等の高次構造を備えた成分が大きな割合を占め、廃棄処分に困難を要している代表的なものである。このような廃棄物をエネルギー変換してバイオガスとして再利用することができれば、廃棄物の減容化および再資源化を同時に効率よく達成することができるので好ましい。
【００１４】
また、前記木質系バイオマスをメタン発酵工程の排水で希釈して前記酵素処理工程を行う。
【００１５】
上記構成において酵素処理工程を経た排水は、通常、静置された上澄液などとして固液分離して後続のメタン発酵工程に供されるが、メタン発酵工程に供される排水には、前記酵素処理工程で用いられた酵素がともに流入することになる。すると、前記酵素は前記メタン発酵工程においてもバイオマスの分解処理を行い、メタン発酵効率の向上に寄与する。その後、前記酵素は、メタン発酵工程の排水に含まれた状態で、その排水とともに処理されることになる。
【００１６】
しかし、メタン発酵工程の排水に含まれた状態の酵素の活性は高く、酵素処理工程においても利用可能な程度の活性を維持していることが、本発明者らの実験によって明らかになった。そこで、メタン発酵工程の排水を前記木質系バイオマスを含む排水の希釈に用いることによって、メタン発酵工程の排水に含まれた状態の酵素を、有効に再利用することができる。
【００１７】
これにより、前記酵素処理工程で使用する酵素量を低減して、低コスト高効率でバイオガスを生産することができる。
【００１８】
また、前記エンドセルラーゼがトリコデルマ由来のエンドセルラーゼである。
【００１９】
前記トリコデルマ由来のエンドセルラーゼは、上記メタン発酵工程における排水の性状において、安定に高い活性を保ち、酵素処理工程を高効率で行うことができる。
【００２０】
また、前記酵素処理工程は、供給されるバイオマスに対して前記セルラーゼ混合品を０．２〜５質量％添加して行う。
【００２１】
前記酵素処理工程は、バイオマスの重量に対して所定量のセルラーゼ混合品を用いて行われ、少なすぎると十分な活性が維持できず酵素処理に多大な時間を要することとなるので０．２質量％以上用いることが好ましい。また、酵素処理工程においてバイオマスが可溶化すればメタン発酵工程において十分なバイオガス生産が可能となるので、前記バイオマスが可溶化する十分量の５質量％以下のセルラーゼ混合品を添加して行うことにより、効率の良い酵素処理工程が行える。
【発明の効果】
【００２２】
本発明のバイオガス生産方法によれば、従来は廃棄困難であった木質系バイオマスであっても効率よく再資源化することができるようになり、環境問題、エネルギー問題のいずれの点からも有益である。
【図面の簡単な説明】
【００２３】
【図１】本発明のバイオガス生産方法のフローの一例を示す図である。
【発明を実施するための形態】
【００２４】
以下に、本発明のバイオガス生産方法の実施形態を説明する。なお、以下に示す実施例はそれぞれ、本発明をより具体的に例示するために記載されたものであって、本発明の趣旨を逸脱しない範囲において種々変更が可能であり、本発明は、以下の記載に限定されるものではない。
【００２５】
本発明のバイオガス生産方法に用いられるバイオガス生産装置は、図１に示すように、
木質系バイオマスを主成分として含有する排水に、エンドセルラーゼを添加する酵素処理工程を行い、その排水を所定時間酵素分解処理する酵素処理槽１を備える。また、酵素処理された排水をメタン発酵させるメタン発酵工程を行うＵＡＳＢ反応槽２を備える。
【００２６】
前記酵素処理槽１は、酵素処理槽本体１０に、木質系バイオマスを主成分として含有する排水を受け入れる排水供給路Ｌ１を接続して設けるとともに、前記酵素処理槽本体１０の内部で酵素処理されて可溶化した上澄液画分をＵＡＳＢ反応槽２に導く移送路Ｌ２を接続して設けてある。また、前記酵素処理槽本体１０上部には、前記酵素処理槽本体１０内部に排水を酵素分解処理するためのエンドセルラーゼを添加する酵素添加部Ｌ３を設け、前記酵素処理槽本体１０下部には、酵素処理によっても可溶化しないおもにリグニン成分からなる残渣を引き抜くための引抜路Ｌ４を設けて構成してある。
【００２７】
前記ＵＡＳＢ反応槽２は、下部に嫌気性微生物（ＵＡＳＢ菌）を主体とする汚泥のグラニュール２ａを充填されるスラッジベッドを備えるとともに、酵素処理槽１から排出された処理液を供給する移送路Ｌ２を接続して設ける。これにより、導入される処理液の上向流が前記ＵＡＳＢ反応槽２内に形成されるとともに、処理液の循環を促し、流動するグラニュール２ａにより有機物をメタン発酵するメタン発酵工程が行われる。前記スラッジベッドの上部には、グラニュール２ａの流失を防止するとともに処理済みの上澄液および生成したメタンガスを上方に移流させる分離板２１を設けてある。分離板２１上方に移流した処理済みの処理液は、オーバーフロー部に接続される排水路Ｌ５よりＵＡＳＢ反応槽２外へ取出されるとともに、生成したメタンガスは、ＵＡＳＢ反応槽２外に取出される構成となっている。また、排水路Ｌ５には処理液の一部を前記移送路Ｌ２に循環させる処理液循環路Ｌ６を分岐して設けて、必要な滞留時間を維持しながら、塔内の液線速度を適切な値に設定できる構成としている。塔内の液線速度は、速すぎるとグラニュール２ａが磨耗し、遅すぎるとグラニュール以外の懸濁物質が蓄積されやすくなるため、３ｍ／ｈ程度とすることが好ましい。
【００２８】
なお、上記嫌気性微生物（ＵＡＳＢ菌）は、一般の下水処理場の消化汚泥や食品残渣のメタン発酵汚泥等種々の環境から採取して、メタン発酵に適した性状に馴養されたものが汎用されており、適宜使用することができる。
【００２９】
また、前記排水路Ｌ５には、メタン発酵済みの排水を、前記排水供給路Ｌ１に返送する返送路Ｌ７を分岐して設けてあり、排水供給路Ｌ１に供給される高濃度の木質系バイオマス含有排水を、酵素処理工程およびメタン発酵工程において、効率よく処理可能な濃度に希釈するとともに、活性を保ったまま排出される酵素を酵素処理工程にて再利用することができるように構成してある。
【００３０】
これにより、おもに茶滓からなる木質系バイオマスを主成分として含有する排水を処理する場合には、たとえば、容量８０ｍ3の酵素処理槽１を用い、排水供給路Ｌ１に供給される排水１０ｔ／日に対し、前記返送路Ｌ７から供給される返送排水３０ｔ／日を混合して酵素処理工程を行うことができる。ここで酵素処理により可溶化した可溶化排水を容量２００ｍ3、処理負荷２０ｋｇ／ｍ3・日の前記ＵＡＳＢ反応槽２にてメタン発酵することにより、メタンガス換算１０００ｍ3／日のバイオガスを生産することができる。このＵＡＳＢ反応槽２にて処理済みの処理済み排水は、７ｔ／日で、系外に放流させられる。
【００３１】
前記木質系バイオマスを主成分として含有する排水としては、茶飲料抽出後の茶滓を前記返送路Ｌ７からの返送排水で希釈し、ＣＯＤ１，０００〜３００，０００ｍｇ／Ｌ、好ましくはＣＯＤ１０，０００〜２００，０００ｍｇ／Ｌ、もっとも好ましくはＣＯＤ５０，０００〜１５０，０００ｍｇ／Ｌ程度の供給排水として前記酵素処理槽１に供給する。
【００３２】
前記供給排水は、前記酵素処理槽１にて、酵素処理工程が行われる。前記酵素処理槽では前記酵素添加部Ｌ３より、酵素処理槽１に投入バイオマスの乾燥重量の０．１〜５％程度となるように酵素が添加される。前記供給排水は、酵素処理槽内で１〜４８時間、好ましくは１２〜２４時間滞留して、溶解性ＣＯＤ５，０００〜２０，０００ｍｇ／Ｌ程度の可溶化排水として移送路Ｌ２に排出される。また、このとき、リグニンを主成分とする残渣３ｔ／日がＬ４から系外に引き抜き処理される。
【００３３】
前記酵素処理槽からの可溶化排水は、前記ＵＡＳＢ反応槽にて、ＣＯＤ１００〜１，０００ｍｇ／Ｌ程度の処理済排水となる。ここでの処理済排水中の酵素活性は、初期の酵素活性の９５％〜９７％と、ほとんど低下しておらず、前記供給排水を前記返送排水で希釈することにより、前記酵素添加部Ｌ３より、添加する酵素量を節約することができる。
【００３４】
実施例
茶滓（ＴＳ５．７１％、ＶＳ５．３８％、ｔＣＯＤ４６３，５００ｍｇ／Ｌ、ｓＣＯＤ３７，０５０ｍｇ／Ｌ）にＮｏｖｏｚｙｍｅｓ社のエンドセルラーゼを主成分とするセルラーゼ混合品（＃ＮＳ２２０７４）を０．２〜５％ｗ／ｗ（バイオマス原料の１〜５％酵素液添加）添加し、５０℃で、４８時間、穏やかに攪拌した。酵素処理懸濁液を４０００ｒｐｍ、２０分間の遠心分離を行った。上澄みのＣＯＤ濃度を測定し、各酵素濃度での可溶化率（Δ溶解性ＣＯＤ／茶滓ｔＣＯＤ）を求めた。また、上澄み１００ｍｌに対し、ＵＡＳＢグラニュールを１０ｇを添加して、２４時間後のバイオガス発生量を測定することにより茶滓のバイオガス転換率を求めた（発生バイオガスのＣＯＤ当量／茶滓ｔＣＯＤ（リグニン分除く））。結果を表１に示す。
【００３５】
酵素添加量０％（水添加）の場合は、バイオガス化率は２４％であったが、本酵素の推奨添加量（５％）を添加することにより、５９％バイオガス化することができた。これに対し、酵素添加量を１／２５まで低下させた場合（０．２０％）でも、バイオガス化量は推奨濃度時の７６．８％（バイオガス化率４５％）までバイオガス化することができた。本酵素は木質リグノセルロースのバイオエタノール化で一般的に使われるトリコデルマ由来のエンドセルラーゼであり、基質をオリゴセルロースまで分解する必要があるバイオエタノール化の場合は、規定濃度以下では、溶解してもオリゴセルロースまで分解していないものはバイオエタノール化できない。しかし、バイオガス化の場合はメタン発酵汚泥に含まれるクロストリジウム属細菌が溶解セルロースを分解するため、低い基質濃度でも同等のバイオガス化効率が得られたものと推測される。
【００３６】
【表１】
0005731237.tif 000002
【００３７】
また、本酵素の希釈液を滞留時間６時間のＵＡＳＢ装置（体積１０ｍｌ）に通過させたところ、通過物は９５〜９７％の酵素活性を有していた。このことから、茶滓の酵素処理物の上澄みをＵＡＳＢ処理し、セルロース分解物がＵＡＳＢでバイオガス化したものを酵素処理槽１に返送すると、残存活性を再利用することができ、さらに酵素添加量を削減することができる。
【００３８】
酵素処理物をすべてメタン発酵槽に投入すると、非分解物はメタン発酵汚泥として排出されるため、臭気等の観点から乾燥や二次利用が制限を受ける。本法では酵素処理後の非溶解物はメタン発酵槽（ＵＡＳＢ槽）投入前に残渣として排出されるため、臭気がなく、乾燥や二次利用が容易である。
【符号の説明】
【００３９】
１        ：酵素処理槽
１０      ：酵素処理槽本体
２        ：ＵＡＳＢ反応槽
２ａ      ：グラニュール
２１      ：分離板
Ｌ１      ：排水供給路
Ｌ２      ：移送路
Ｌ３      ：酵素添加部
Ｌ４      ：引抜路
Ｌ５      ：排水路
Ｌ６      ：処理液循環路
Ｌ７      ：返送路
【図１】
0005731237.tif 000003